(57)【要約】締結具に対して、センタリングツールの場所の基準を提供するための照準ガイドを含む、締結具に対してハンドツールをセンタリングするためのデバイスおよび方法。センタリングツールは、照準化を向上させ、付加的視認デバイスおよび前記締結具に作用するためのハンドツールとの相互運用性を促進するための受部を含んでもよい。いくつかの例示的実装によると、表面に対して載置されるように構成される、界面を備える、ハンドツールセンタリングデバイスが、開示される。
2013523473.tif 000002
【特許請求の範囲】
【請求項１】
ハンドツールセンタリングデバイスであって、
締結具を含有するワークピース表面に対して載置されるように構成される界面と、
少なくとも実質的に、締結具の外径と等しい内径を有する円形開口部を含む照準ガイドであって、前記円形開口部は、前記締結具の外径との同心整合を視覚的に促進するように構成される、照準ガイドと、
前記照準ガイドを前記ハンドツールセンタリングデバイスの上部に暴露し、少なくともハンドツールの先端を受容するように構成される受部と
を含む、デバイス。
【請求項２】
前記締結具は、前記表面と実質的に同一平面にある表面を有する平頭締結具である、請求項１に記載のハンドツールセンタリングデバイス。
【請求項３】
前記受部は、前記先端の幾何学形状に対応する幾何学形状を有する、請求項１に記載のハンドツールセンタリングデバイス。
【請求項４】
前記受部は、前記ハンドツールの先端の中心軸を前記締結具の中心軸と整合するように構成される、請求項３に記載のハンドツールセンタリングデバイス。
【請求項５】
前記ハンドスールは、プラズマ腐食デバイスである、請求項１に記載のハンドツールセンタリングデバイス。
【請求項６】
前記ハンドツールの先端の中心軸は、腐食電極の主軸に対応する、請求項５に記載のハンドツールセンタリングデバイス。
【請求項７】
前記上部と円形開口部との間の前記受部の少なくとも一部は、内方に先細になる、請求項１に記載のハンドツールセンタリングデバイス。
【請求項８】
ハンドツールセンタリングデバイスであって、
締結具を含有するフレームの表面に対して載置されるように構成される界面と、
ビューアおよびハンドツールの先端のそれぞれを受容するように構成される受部と、
その底面端に配置される照準ガイドを含み、前記締結具の外径との同心整合を視覚的に促進するように構成されるビューアと
を含む、デバイス。
【請求項９】
前記照準ガイドは、複数の同心円である、請求項８に記載のハンドツールセンタリングデバイス。
【請求項１０】
前記締結具は、前記フレームと同一平面にある表面を有する平頭締結具である、請求項８に記載のハンドツールセンタリングデバイス。
【請求項１１】
前記受部は、前記ビューアの幾何学形状および前記先端の幾何学形状のそれぞれに対応する幾何学形状を有する、請求項８に記載のハンドツールセンタリングデバイス。
【請求項１２】
前記受部は、前記ハンドツールの先端の中心軸を前記締結具の中心軸と整合するように構成される、請求項１１に記載のハンドツールセンタリングデバイス。
【請求項１３】
前記受部の幾何学形状および前記前記ビューアの幾何学形状は、前記ビューアが、前記受部内に嵌合されると、前記ビューアの照準ガイドを実質的に前記フレームの表面と同一平面にさせる、請求項１１に記載のハンドツールセンタリングデバイス。
【請求項１４】
前記ビューアはさらに、前記照準ガイドの画像を前記ビューアの中心軸から屈折させるように構成されるレンズを含む、請求項８に記載のハンドツールセンタリングデバイス。
【請求項１５】
前記ハンドツールは、プラズマを生成し、材料の塊を分解する、請求項８に記載のハンドツールセンタリングデバイス。
【請求項１６】
前記ハンドツールの先端の中心軸は、腐食電極の主軸に対応する、請求項１５に記載のハンドツールセンタリングデバイス。
【請求項１７】
手持式ＥＤＭデバイスをセンタリングする方法であって、
受部を有するセンタリングデバイスを締結具を含有するフレームの表面に提供することと、
前記センタリングデバイスの中心軸を前記締結具の中心軸と整合することと、
ハンドツールの先端を前記センタリングデバイスの受部内に係合することであって、前記先端の中心軸は、前記締結具の中心軸と整合される、ことと
を含む、方法。
【請求項１８】
前記センタリングデバイスの中心軸を前記締結具の中心軸と整合することは、
前記受部の底面端に配置される円形開口部を前記締結具の外径と同心的に整合することを含む、請求項１７に記載の方法。
【請求項１９】
前記センタリングデバイスの中心軸を前記締結具の中心軸と整合することは、
照準ガイドを有するビューアを前記受部に提供することと、
前記照準ガイドを前記締結具の外径と整合することと、
前記ビューアを前記受部から除去することと
を含む、請求項１７に記載の方法。
【請求項２０】
前記方法は、前記ハンドツールによって、前記締結具の少なくとも一部を腐食させることをさらに含む、請求項１７に記載の方法。
【請求項２１】
前記締結具は、前記フレームの表面と同一平面にある表面を有する平頭締結具である、請求項１７に記載の方法。
【発明の詳細な説明】
【技術分野】
【０００１】
（関連出願）
本願は、米国仮特許出願第６１／３１８，１７８号（２０１０年３月２６日出願）のパリ条約の利益および優先権を主張し、該米国仮特許出願の内容は、あたかも本明細書中に完全に記載されているかのように、その全体が参照により本明細書中に援用されている。
【０００２】
本願は、米国出願第１２／６０３，５０７号（２００９年１０月２１日出願）を、あたかも本明細書中に完全に記載されているかのように、参照により本明細書中に援用している。
【０００３】
（１．分野）
本開示は、ワークピースに対して、孔または切断部生成ハンドツールをセンタリングするためのデバイスおよび方法に関する。
【発明の概要】
【課題を解決するための手段】
【０００４】
（概要）
いくつかの例示的実装によると、表面に対して載置されるように構成される、界面を備える、ハンドツールセンタリングデバイスが、開示される。いくつかの事例では、表面は、フレームであり得る、ワークピースから成り、フレームは、締結具と、少なくとも実質的に、締結具の外径と等しい内径を有する、円形開口部を備える、照準ガイドであって、円形開口部が、締結具の外径との同心整合を視覚的に促進するように構成される、照準ガイドと、照準ガイドをハンドツールセンタリングデバイスの上部に暴露し、少なくとも、ハンドツールの先端を受容するように構成される、受部と、を含有する。いくつかの事例では、締結具は、表面と同一平面にある、表面を有する、平頭締結具であってもよい。
【０００５】
いくつかの例示的実装によると、ハンドツールの先端の幾何学形状に対応する幾何学形状を有し得る、受部を伴う、ハンドツールセンタリングデバイスが、開示される。受部は、ハンドツールの先端の中心軸を締結具の中心軸と整合するように構成されてもよい。ハンドツール、プラズマ腐食デバイスであってもよい。ハンドツールの先端の中心軸は、腐食電極の主軸に対応してもよい。上部と円形開口部との間の受部の少なくとも一部は、内方に先細になってもよい。
【０００６】
いくつかの例示的実装によると、表面に対して載置されるように構成される、界面と、締結具と、ビューアおよびハンドツールの先端のそれぞれを受容するように構成される、受部と、その底面端に配置される照準ガイドを備え、締結具の外径との同心整合を視覚的に促進するように構成される、ビューアと、を備える、ハンドツールセンタリングデバイスが、開示される。いくつかの事例では、照準ガイドは、複数の同心円であってもよい。いくつかの事例では、締結具は、実質的に、ワークピース（フレームであってもよい）の表面と同一平面にある、平頭締結具であってもよい。受部は、ビューアの幾何学形状および先端の幾何学形状に対応する、幾何学形状を有してもよい。受部は、ハンドツールの先端の中心軸を締結具の中心軸と整合するように構成されてもよい。受部の幾何学形状およびビューアの幾何学形状は、ビューアが、受部内に嵌合されると、ビューアの照準ガイドを、実質的に、表面と同一平面にさせてもよい。ビューアはさらに、照準ガイドの画像をビューアの中心軸から屈折させるように構成される、レンズを備えてもよい。ハンドツールは、プラズマを生成し、材料の塊を分解してもよい。ハンドツールの先端の中心軸は、腐食電極の主軸に対応してもよい。
【０００７】
いくつかの例示的実装によると、受部を有するセンタリングデバイスを締結具を含有するフレームの表面に提供するステップと、センタリングデバイスの中心軸を締結具の中心軸と整合するステップと、ハンドツールの先端をセンタリングデバイスの受部内に嵌合し、それによって、先端の中心軸が、締結具の中心軸と整合される、ステップと、を備える、手持式ＥＤＭデバイスをセンタリングする方法が、開示される。いくつかの事例では、先端と受部との間の嵌合は、密閉を形成する。
【０００８】
センタリングデバイスの中心軸を締結具の中心軸と整合するステップは、受部の底面端に配置される円形開口部を締結具の外径と同心的に整合するステップを備えてもよい。センタリングデバイスの中心軸を締結具の中心軸と整合するステップは、照準ガイドを有するビューアを受部に提供するステップと、照準ガイドを締結具の外径と整合するステップと、ビューアを受部から除去するステップと、を備えてもよい。方法はさらに、ハンドツールによって、締結具の少なくとも一部を腐食させるステップを備えてもよい。締結具は、フレーム、皮膚、またはフレームを覆うコーティング等を含み得る、ワークピースの表面と同一平面にある表面を有する、平頭締結具であってもよい。
【図面の簡単な説明】
【０００９】
本開示の前述の特徴および目的は、添付の図面と併せて以下の説明を参照してより明らかとなり、図面中の同様の参照番号は、同様の要素を示す。
【図１Ａ】図１Ａは、基部の平面図を示す。
【図１Ｂ】図１Ｂは、基部の断面図を示す。
【図１Ｃ】図１Ｃは、基部の斜視図を示す。
【図１Ｄ】図１Ｄは、基部の斜視図を示す。
【図１Ｅ】図１Ｅは、基部の上面図を示す。
【図１Ｆ】図１Ｆは、基部の底面図を示す。
【図２Ａ】図２Ａは、締結具に接近する、基部の断面図を示す。
【図２Ｂ】図２Ｂは、締結具上の基部の断面図を示す。
【図３Ａ】図３Ａは、ビューアのビューを示す。
【図３Ｂ】図３Ｂは、ビューアの斜視図を示す。
【図３Ｃ】図３Ｃは、ビューアの斜視図を示す。
【図４Ａ】図４Ａは、基部に接近する、ビューアの平面図を示す。
【図４Ｂ】図４Ｂは、基部に接近する、ビューアの断面図を示す。
【図４Ｃ】図４Ｃは、基部に接近する、ビューアの斜視図を示す。
【図４Ｄ】図４Ｄは、基部に接近する、ビューアの斜視図を示す。
【図４Ｅ】図４Ｅは、基部に接近する、ビューアの上面図を示す。
【図４Ｆ】図４Ｆは、基部に接近する、ビューアの底面図を示す。
【図５Ａ】図５Ａは、基部内のビューアの平面図を示す。
【図５Ｂ】図５Ｂは、基部内のビューアの断面図を示す。
【図５Ｃ】図５Ｃは、基部内のビューアの斜視図を示す。
【図５Ｄ】図５Ｄは、基部内のビューアの斜視図を示す。
【図５Ｅ】図５Ｅは、基部内のビューアの上面図を示す。
【図５Ｆ】図５Ｆは、基部内のビューアの底面図を示す。
【図６Ａ】図６Ａは、締結具に接近する、基部内のビューアの断面図を示す。
【図６Ｂ】図６Ｂは、締結具上の基部内のビューアの斜視図を示す。
【図７Ａ】図７Ａは、基部に接近する、先端の平面図を示す。
【図７Ｂ】図７Ｂは、基部に接近する、先端の断面図を示す。
【図７Ｃ】図７Ｃは、基部に接近する、先端の斜視図を示す。
【図７Ｄ】図７Ｄは、基部に接近する、先端の斜視図を示す。
【図７Ｅ】図７Ｅは、基部に接近する、先端の上面図を示す。
【図７Ｆ】図７Ｆは、基部に接近する、先端の底面図を示す。
【図８Ａ】図８Ａは、基部内の先端の平面図を示す。
【図８Ｂ】図８Ｂは、基部内の先端の断面図を示す。
【図８Ｃ】図８Ｃは、基部内の先端の斜視図を示す。
【図８Ｄ】図８Ｄは、基部内の先端の斜視図を示す。
【図８Ｅ】図８Ｅは、基部内の先端の上面図を示す。
【図８Ｆ】図８Ｆは、基部内の先端の底面図を示す。
【図９Ａ】図９Ａは、基部に接近する、先端の断面図を示す。
【図９Ｂ】図９Ｂは、基部に接近する、先端の断面図を示す。
【図９Ｃ】図９Ｃは、基部内の先端の断面図を示す。
【図１０Ａ】図１０Ａは、基部に接近する、先端の断面図を示す。
【図１０Ｂ】図１０Ｂは、基部に接近する、先端の断面図を示す。
【図１０Ｃ】図１０Ｃは、基部内の先端の断面図を示す。
【発明を実施するための形態】
【００１０】
（詳細な説明）
いくつかの例示的実装によると、ハンドツールセンタリングデバイスおよび方法が、本明細書に開示される。いくつかの例示的実装によると、基部１０は、図１Ａ、１Ｂ、１Ｃ、１Ｄ、１Ｅ、および１Ｆに示されるように、提供されてもよい。基部１０は、照準ガイド１００を含んでもよい。例えば、照準ガイド１００は、円形、十字線、網線、点線、棒、山形、ステップ等であってもよい。照準ガイド１００は、基部１０と締結具４００の外径の同心整合を視覚的に促進するように構成されてもよい。例えば、図２Ａおよび２Ｂに示されるように、基部１０の中心軸５０は、締結具４００の中心軸４５０と整合されるようにされてもよい。
【００１１】
図１Ｂ、１Ｄ、および１Ｆに示されるように、照準ガイド１００は、基部１０および受部２０の底面端における、円形開口部であってもよい。円形開口部は、図２Ａおよび２Ｂに示されるように、少なくとも実質的に、締結具４００の外径と等しい、内径を有してもよい。
【００１２】
いくつかの例示的実装によると、受部２０は、照準ガイド１００を受部２０または基部１０の上部に暴露してもよい。故に、ユーザは、上部から受部２０内を視認し、例えば、少なくとも、照準ガイド１００および締結具４００を視認してもよい。上部と円形開口部との間の受部２０の少なくとも一部は、円形開口部の全体が、基部１０の中心軸に沿って以外の角度から視認可能であり得るように、内方に、先細または段階式であってもよい。同様に、そのような特徴は、締結具４００の可視化を改善し得る。
【００１３】
いくつかの例示的実装によると、基部１０は、締結具４００を含有するフレーム４１０の表面であり得る、表面４１２に対して載置されるように構成される、界面３０を含んでもよい。
【００１４】
いくつかの例示的実装によると、締結具４００は、作用される、任意の種々の締結具、物体、または材料であってもよい。いくつかの例示的実装によると、締結具４００は、図２Ａおよび２Ｂに示されるように、ハンドツールのセンタリングの基準として利用可能である構造が殆どまたは全くないような、平頭（非突出）締結具であってもよい。対照的に、突出頭締結具は、その上に作用するツールの相対的場所または配向の基準を提供し得る場所を越えて延在する、構造を提供してもよい。例えば、機械的動作は、突起に基づいて行われ、ツールを位置付けまたは配向してもよい。本開示の実装は、特に（排他的ではないが）、平頭（非突出）締結具に有用であり得る。
【００１５】
いくつかの例示的実装によると、ビューア２００は、図４Ａ、４Ｂ、４Ｃ、４Ｄ、４Ｅ、４Ｆ、５Ａ、５Ｂ、５Ｃ、５Ｄ、５Ｅ、および５Ｆに示されるように、基部１０のセンタリングを向上させるように提供されてもよい。
【００１６】
いくつかの例示的実装によると、かつ図３Ａ、３Ｂ、および３Ｃに示されるように、可撤性ビューア２００は、照準ガイド１００を含んでもよい。照準ガイド１００は、ビューア２００の底面端に配置され、締結具４００の外径との同心整合を視覚的に促進するように構成されてもよい。受部２０の形状および幾何学形状ならびにビューア２００の形状および幾何学形状は、図６Ａおよび６Ｂに示されるように、ビューア２００が、受部２０内に嵌合されると、照準ガイド１００を、実質的に、表面４１２と同一平面となるようにさせてもよい。
【００１７】
いくつかの例示的実装によると、ビューア２００は、その底面端に配置される照準ガイド１００が、その上端から視認可能となり得るように、透明または半透明であってもよい。図３Ａに示されるように、ビューアは、レンズ２１０を含んでもよい。レンズ２１０は、ビューア２００の任意の他の部分と別個または一体型であってもよい。さらに図３Ａに示されるように、レンズ２１０は、照準ガイド１００の画像１０２をビューア２００の中心軸２５０から屈折させるように構成されてもよい。例えば、レンズ２１０は、凸面表面であってもよく、その場合、照準ガイド１００は、１を超える屈折率を有する。図３Ｃに示されるように、これは、照準ガイド１００の実際の場所に対する直接ビューを有することなく、照準ガイド１００の画像１０２を視認可能にし得る。さらに、そのような特徴は、ビューア２００の中心軸２５０と整合される以外の角度からの視認照準ガイド１００から生じ得る、誤差を低減させる。例えば、誤差は、照準ガイド１００が、中心軸２５０に沿って視認されない場合に生じ、照準ガイド１００および締結具４００の相対的場所が、実際通りに見えない場合がある。レンズ２１０によって提供される屈折は、中心軸２５０に沿った以外の角度における照準によって導入される、誤差を低減させる。基部１０の少なくとも一部は、基部１０が、表面に対して、またはその近傍に押圧されると、表面に対して、基部１０の場所の載置および維持を促進するように、表面と接合するように構成されてもよい。
【００１８】
いくつかの例示的実装によると、基部１０およびビューア２００は、基部１０の中心軸５０を締結具４００の中心軸４５０と整合させるように、締結具４００に提供されてもよい。
【００１９】
いくつかの例示的実装によると、受部２０は、図７Ａ、７Ｂ、７Ｃ、７Ｄ、７Ｅ、７Ｆ、８Ａ、８Ｂ、８Ｃ、８Ｄ、８Ｅ、および８Ｆに示されるように、ビューア２００および少なくともハンドツールの先端３００の両方を受容するように構成されてもよい。故に、受部２０の幾何学形状は、先端３００が、受部２０内に係合されると、個別の中心軸が整合されるように、先端３００に対応してもよい。
【００２０】
いくつかの例示的実装によると、ハンドツールは、締結具４００に作用するように構成される、任意のデバイスであってもよい。実施例として、締結具４００の中心軸４５０に沿った整合から恩恵を受けるであろうデバイスが挙げられる。いくつかの例示的実装によると、ハンドツールは、ＥＤＭデバイスであってもよい。ＥＤＭデバイスは、締結具４００の少なくとも一部を腐食するために使用されてもよい。そのような腐食は、本明細書に開示されるセンタリングデバイスおよび方法によって提供される整合に対して、力が要らず、精度に基づき得る。腐食電極は、主軸を有し得、それに沿って、前進可能であってもよい。主軸は、先端３００の中心軸３５０と整合されてもよい。
【００２１】
いくつかの例示的実装によると、ハンドツールを締結具４００と整合させる方法が、開示される。図２Ａ、２Ｂ、６Ａ、および６Ｂに示されるように、少なくとも基部１０は、締結具４００を含有するワークピースまたはフレーム４１０の表面４１２に提供されてもよい。基部１０の中心軸５０は、締結具４００の中心軸４５０と整合されてもよい。これは、締結具４００に対して、照準ガイド１００を整合するステップを含んでもよい。
【００２２】
円形開口部が提供されるいくつかの例示的実装によると、基部１０の中心軸５０を締結具４００の中心軸４５０と整合するステップは、円形開口部を締結具４００と同心的に整合するステップを備えてもよい。
【００２３】
いくつかの例示的実装によると、ビューア２００が、受部２０に提供される、整合の方法が、開示される。ビューア２００の照準ガイド１００は、締結具４００と整合されてもよく、それによって、基部１０の中心軸５０は、締結具４００の中心軸４５０と整合される。ビューア２００は、次いで、先端３００が挿入され得る、基部１０の載置を維持しながら、受部２０から除去されてもよい。いくつかの例示的実装によると、ハンドツールの先端３００は、基部１０の受部２０内に係合されてもよく、それによって、先端３００の中心軸３５０は、締結具４００の中心軸４５０と整合される。ハンドツールの先端３００は、受部２０内に嵌着または嵌合されて例証される（図８Ａから１０Ｃに示されるように）。嵌着が正確なほど、先端３００と受部２０との間により良好な密閉が形成される。
【００２４】
いくつかの例示的実装によると、ハンドツールは、先端３００が、受部２０内に係合される間、使用されてもよい。例えば、締結具４００の少なくとも一部は、ハンドツールによって、腐食されてもよい。誘電体と併用して、プラズマが発生され、制御された様式において、材料の塊を腐食および／または分解する、２００９年１０月２１日出願の米国出願第１２／６０３，５０７号に開示されるような放電デバイス、システム、および方法が、適用されてもよい。
【００２５】
いくつかの例示的実装によると、ピン５００の使用は、本明細書の開示から恩恵を享受し得る。図９Ａ、９Ｂ、９Ｃ、１０Ａ、１０Ｂ、および１０Ｃに示されるように、ピン５００は、先端３００内にあって、締結具４００との整合のために構成されてもよい。ピン５００は、締結具４００に作用する、ＥＤＭデバイスまたはデバイスの他の構成要素の電極であってもよい。ピン５００は、バネ荷重される、または別様に、先端３００が、基部１０内に係合されると、締結具４００と接触するように構成されてもよい。ピン５００の動作は、少なくとも幾分、締結具４００との整合に依存してもよい。
【００２６】
いくつかの例示的実装によると、図９Ａに示されるように、ピン５００は、必然的に、最終的に所望される整合と平行である整合された状態にあってもよい。図９Ｂに示されるように、先端３００の基部１０内の係合された位置への前進は、とりわけ、表面４１２または締結具４００に直交するもの以外であってもよい。例えば、受部２０が、先細にされる場合、ユーザは、図９Ｂに示されるように、先細部の片側に沿って、先端３０を前進される傾向を有してもよい。そのようなシナリオでは、ピン５００は、そのような非直交運動が生じる間、締結具４００または表面４１２と接触されてもよい。結果は、図９Ｃに示されており、ピン５００は、整合のその元の軸から外れて偏移される。
【００２７】
いくつかの例示的実装によると、図１０Ａ、１０Ｂ、および１０Ｃに示されるように、先端３００は、垂直羽目板３０５を有してもよく、基部１０は、垂直壁２５を有してもよい。「垂直」という表現は、垂直羽目板３０５および垂直壁２５の表面が、先端３００およびピン５００のうちの少なくとも１つの意図される整合と平行であることを示す。例えば、図１０Ａに示されるように、先端３００は、非直交様式に前進されてもよい。しかしながら、図１０Ｂに示されるように、先端３００の垂直羽目板３０５が、基部１０の垂直壁２５内に入るのに伴って、直交前進のみ、許容されてもよい。ピン５００が締結具４００または表面４１２と接触するのに先立った、直交前進に対するそのような制限によって、図１０Ｃに示されるように、先端３００が、基部１０の受部２０内に完全に係合されるのに伴って、、ピン５００を直交に維持可能となり得る。
【００２８】
いくつかの例示的実装によると、先端３００の垂直羽目板３０５および基部１０の垂直壁２５は、先端３００が、受部２０内を前進するのに伴って、整合してもよい。故に、垂直羽目板３０５および垂直壁２５は、それぞれ、先端３００および基部１０の上部（図１０Ａ、１０Ｂ、および１０Ｃに示されるように）、底面部分、または中央部分（または、それらの組み合わせ）にあってもよい。
【００２９】
方法および手段が、最も実用的かつ好ましい例示的実施形態であると現在見なされているものの観点から説明されてきたが、本開示は、開示された例示的実装に制限される必要はないことを理解されたい。特許請求の範囲の精神および範囲内に含まれる、種々の修正および同様の配列を含むことが意図され、その範囲は、全てのそのような修正および同様の構造を包含するように、最も広範な解釈を受けるべきである。本開示は、以下の特許請求の範囲のあらゆる実施形態を含む。
【００３０】
また、本発明の本質から逸脱することなく、種々の変更が行われてもよいことも理解されたい。そのような変更もまた、非明示的に本明細書に含まれる。それらはさらに、本発明の範囲内に入る。本開示は、独立して、およびシステム全体としての両方で、かつ方法および装置モードの両方において、本発明の多数の側面を含む特許をもたらすことを目的とすると理解されたい。
【００３１】
さらに、本開示および特許請求の範囲の種々の要素のそれぞれはまた、種々の方法で達成されてもよい。本開示は、任意の装置の実施形態の実施形態の変形例であろうと、方法もしくはプロセス実施形態であろうと、またはこれらの任意の要素の単なる変形例であっても、そのような各変形例を包含すると理解されたい。
【００３２】
特に、本開示は、本発明の要素に関するため、各要素に対する用語は、たとえ機能または結果のみが同一であっても、同等の装置の用語または方法の用語により表現され得ると理解されたい。
【００３３】
そのような同等の、広範囲な、またはより包括的でさえある用語は、各要素または動作の説明に包含されると見なされるべきである。そのような用語は、本開示が得る権利がある非明示的に広範な範囲を明確化することが望ましい場合、置き換えられ得る。
【００３４】
全ての作用は、その作用を講じるための手段として、またはその作用をもたらす要素として表現されてもよいと理解されたい。
【００３５】
同様に、開示される各物理的要素は、物理的要素が促進する作用の開示を包含すると理解されたい。
【００３６】
本特許出願に言及される任意の特許、刊行物、および他の参考文献は、参照することにより本明細書に組み込まれる。さらに、使用される各用語に関して、本願におけるその利用がそのような解釈と矛盾しない限り、一般的な辞書的定義は、当業者により認識されている標準的な専門用語辞典およびＲａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙのうちの少なくとも１つに含有されるような、各用語および全ての定義、代替的用語、ならびに同義語に関して組み込まれるものとして理解されるべきであり、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙの最新版は、参照することにより本明細書に組み込まれる。
【００３７】
最後に、情報開示陳述書または本願とともに出願された他の情報開示陳述書に列挙されたあらゆる参照は、本明細書に添付され、参照することによって、本明細書に組み込まれる。しかしながら、前述のそれぞれに関して、参照することにより組み込まれるそのような情報または陳述書が、本発明の特許取得と矛盾していると見なされ得る限りにおいて、そのような陳述書は、明示的に、本出願人により作製されたと見なされるべきではない。
【００３８】
この点で、実用的な理由から、かつ潜在的に何百もの請求項を追加することを回避するために、本出願人は、最初の複数の従属項のみを伴う請求項を示したことを理解されたい。
【００３９】
１つの独立請求項または概念の下で提示される種々の従属項または他の要素のうちのいずれかの追加を、任意の他の独立請求項または概念の下での従属項または要素として可能にするために、米国特許法３５ＵＳＣ１３２または他のそのような法律が挙げられるが、これに限定されない、新規事項に関する法律の下で必要とされる程度まで、支援が存在すると理解されたい。
【００４０】
非実質的な置換が行われる限りにおいて、本出願人が任意の特定の例示的実施形態を文字通りに含むように、実際にはいかなる請求項も起草しなかった限りにおいて、およびそうでなければ適用可能である限りにおいて、本出願人が単に全ての偶発性を予測できなかった可能性があるため、本出願人は、何らかの方法で、そのような範囲を放棄することを意図したか、または実際に放棄したと理解されるべきではない。当業者は、そのような代替実施形態を文字通りに含んでいたであろう請求項を起草したと、合理的に予想されてはならない。
【００４１】
さらに、「含む（ｃｏｍｐｒｉｓｉｎｇ）」という移行句の使用は、伝統的な請求項解釈に従い、本明細書で「オープンエンドの」請求項を維持するために使用される。したがって、内容が別段の要求をしない限り、「含む（ｃｏｍｐｒｉｓｅ）」という用語、または「含む（ｃｏｍｐｒｉｓｅｓ）」または「含む（ｃｏｍｐｒｉｓｉｎｇ）」等の変形例は、規定の要素もしくはステップ、または要素もしくはステップのグループの包含を暗示することを意図するが、任意の他の要素もしくはステップ、または要素もしくはステップのグループの排除を暗示することを意図しないことを理解されたい。
【００４２】
そのような用語は、法的に認められる最も広範な範囲を本出願人に提供するために、それらの最も包括的な形態で解釈されるべきである。
【図１Ａ】
2013523473.tif 000003
【図１Ｂ】
2013523473.tif 000004
【図１Ｃ】
2013523473.tif 000005
【図１Ｄ】
2013523473.tif 000006
【図１Ｅ】
2013523473.tif 000007
【図１Ｆ】
2013523473.tif 000008
【図２Ａ】
2013523473.tif 000009
【図２Ｂ】
2013523473.tif 000010
【図３Ａ】
2013523473.tif 000011
【図３Ｂ】
2013523473.tif 000012
【図３Ｃ】
2013523473.tif 000013
【図４Ａ】
2013523473.tif 000014
【図４Ｂ】
2013523473.tif 000015
【図４Ｃ】
2013523473.tif 000016
【図４Ｄ】
2013523473.tif 000017
【図４Ｅ】
2013523473.tif 000018
【図４Ｆ】
2013523473.tif 000019
【図５Ａ】
2013523473.tif 000020
【図５Ｂ】
2013523473.tif 000021
【図５Ｃ】
2013523473.tif 000022
【図５Ｄ】
2013523473.tif 000023
【図５Ｅ】
2013523473.tif 000024
【図５Ｆ】
2013523473.tif 000025
【図６Ａ】
2013523473.tif 000026
【図６Ｂ】
2013523473.tif 000027
【図７Ａ】
2013523473.tif 000028
【図７Ｂ】
2013523473.tif 000029
【図７Ｃ】
2013523473.tif 000030
【図７Ｄ】
2013523473.tif 000031
【図７Ｅ】
2013523473.tif 000032
【図７Ｆ】
2013523473.tif 000033
【図８Ａ】
2013523473.tif 000034
【図８Ｂ】
2013523473.tif 000035
【図８Ｃ】
2013523473.tif 000036
【図８Ｄ】
2013523473.tif 000037
【図８Ｅ】
2013523473.tif 000038
【図８Ｆ】
2013523473.tif 000039
【図９Ａ】
2013523473.tif 000040
【図９Ｂ】
2013523473.tif 000041
【図９Ｃ】
2013523473.tif 000042
【図１０Ａ】
2013523473.tif 000043
【図１０Ｂ】
2013523473.tif 000044
【図１０Ｃ】
2013523473.tif 000045
【国際調査報告】
2013523473.tif 000046
2013523473.tif 000047